(57)【要約】【課題】  ガスバーナの制御方法を提供すること。【解決手段】  本発明に係る制御方法では、所定時に制御装置の校正が実行される。所定時の後の所定期間にわたってバーナが安定的動作状態で作動する場合には、以前の安定的校正に置き換わる新たな安定的校正が確定される。所定の期間にわたって安定的動作状態でバーナが作動しない場合には、最近の動作状態に基づいて予備的校正が確定される。【特許請求の範囲】
【請求項１】
ガスと空気の混合気を提供するため、つまりガス流と燃料空気流とをバーナに供給するためのガスバーナの制御方法であって、制御装置の校正が所定時に実行されるガスバーナの制御方法において、
ａ）前記バーナが前記所定時の直後に所定の校正点を使用して校正され、該バーナが所定の期間にわたって安定的動作状態で作動した場合には、新たな安定的校正によって以前の校正が置き換えられることと、
ｂ）前記バーナが前記所定時の後の所定の期間にわたって安定的動作状態で作動できない場合には、前記校正が中断され、最近の動作状態に基づいて予備的校正が実行され、新たな校正が行われるまで、該予備的校正に基づいて制御が実施されることと、
を特徴とするガスバーナの制御方法。
【請求項２】
請求項１に記載のガスバーナの制御方法において、
以前の安定的校正と前記所定の校正点との間の中間値が予備的校正として使用されることを特徴とするガスバーナの制御方法。
【請求項３】
請求項１に記載のガスバーナの制御方法において、
前記所定の校正点が予備的校正として使用されることを特徴とするガスバーナの制御方法。
【請求項４】
請求項２又は３に記載のガスバーナの制御方法において、
校正手順の終了時に、所与の校正期間の特定部分がすでに経過している場合には、前記中間値又は前記所定の校正点が使用されることを特徴とするガスバーナの制御方法。
【請求項５】
請求項１乃至４のいずれかに記載のガスバーナの制御方法において、
以前の安定的校正が予備的校正として使用されることを特徴とするガスバーナの制御方法。
【請求項６】
請求項５に記載のガスバーナの制御方法において、
校正手順の終了時に、前記所与の校正期間の特定部分がまだ経過していない場合には、前記以前の安定的校正が使用されることを特徴とするガスバーナの制御方法。
【請求項７】
請求項１乃至６のいずれかに記載のガスバーナの制御方法において、
前記バーナの動作の特性を示す少なくとも一つの選択されたパラメータが、所定の期間にわたって特定の程度を超えて変化しない場合には、所定の校正値が予備的校正として使用されることを特徴とするガスバーナの制御方法。
【請求項８】
請求項１乃至７のいずれかに記載のガスバーナの制御方法において、
予備的校正が実行された場合には、特定の期間の後、安定的動作状態に基づいて校正が実行されるまで、校正手順が反復されることを特徴とするガスバーナの制御方法。
【発明の詳細な説明】
【技術分野】
【０００１】
本発明は、請求項１の序文に記載のガスバーナの制御方法に関する。
【背景技術】
【０００２】
ガスバーナの制御方法では、例えば制御装置の設置、バーナの再開、再設定の後などの特定の時点に校正を受けなければならない。従来、この手順は、所定時の後の所定の期間にわたって安定的動作状態でバーナが作動した場合にのみ校正が実行されるようなものであった。このいわゆる待機期間は、信頼性及び安定性のある制御装置の校正を確保できるようにするために必要である。先行技術によれば、校正の間又は所与の期間においてバーナが安定動作状態を脱した場合には、校正が中断され、以前の設定又は以前の校正に従って制御される。これでは、例えばガス品質が変化してしまっているために、以前の校正はもはや正しくなく、具合の悪い制御が実行されるというような相当の不具合がある。
【発明の開示】
【発明が解決しようとする課題】
【０００３】
このことから、本発明は、ガスバーナの改良制御方法を提供するという課題に基づくものである。本発明によれば、この課題は、請求項１の特徴を含む制御方法によって解決される。
【課題を解決するための手段】
【０００４】
本発明は、ガスと空気の混合気を提供するため、つまりガス流と燃焼空気流とをバーナに供給するためのガスバーナの制御方法に関する。制御装置の校正は、所定時に実行される。本発明に係る校正手順では、所定時の後の所定の期間にわたって、バーナが安定的動作状態で作動した場合に、校正が決定されて、新たな安定的校正によって以前の安定的校正が置き換えられる。この期間、バーナは直ちに所望する校正点へ制御され、先行技術の場合のように以前の安定的校正に基づいて行われない。所定時の後の所定期間にわたってバーナが安定的動作状態で作動できない場合が生じると、得ることができる最近（直近）の動作状態に基づいて予備的校正が実行される。そして、この予備的校正によって以前の安定的校正が置き換えられる。制御装置が安定的動作状態に基づいて安定的校正を実行できるとすぐに、新たな安定的校正によって予備的校正が置き換えられる。
【０００５】
本発明は、バーナが所与の期間全体にわたって安定的動作状態で作動しない予備的校正であっても、以前の安定的校正よりは制御装置にとって好適な設定を構成するという発想に基づいている。
【０００６】
本発明の要点は、最初にバーナを以前の校正によって作動させることなく、所定時において直ちに、所定の校正点で校正手順を実行するという点である。さらに、本発明によれば、所定時の後の所定の期間にわたって、バーナが安定動作状態で作動できない場合に、校正が中断され、最近の動作状態に基づいて予備的校正が実行される。この処置は、新たな校正まで維持される。
【０００７】
これらの特徴により、本発明に係る課題が解決され、まず第１に、以前の校正によってバーナが無駄に作動することが回避される。
【０００８】
安定的動作状態に到達しないために校正手順が中断された場合には、バーナが予備的校正値に設定される。この予備的校正は、以前の安定的校正と所望する所定の校正点との間の中間値としてもよい。また一方、安定的動作状態に達しなかった校正の実行において使用された所望の校正点を予備的校正として使用してもよい。所定の校正点による校正では、全くバーナを充分に作動させることができないと判明されたら、以前の安定的校正を予備的校正として使用するようにしてもよい。
【０００９】
一般的に、校正が成功しない場合には、以下のようなことが可能である。以前の安定的校正値が使用されるようにしてもよい。新しい所定の校正値が使用されるようにしてもよい。その中間値が使用されるようにしてもよい。この事に関する決定は、異なる基準に基づいて行われるようにしてもよい。
【００１０】
例えば、校正手順が中断された場合に所与の校正期間の特定部分がすでに経過している場合には、所定の校正点が使用されるようにしてもよい。予定された校正期間の大部分にわたって、満足できる安定的バーナ動作が達成された場合には、この一連の動作が選択されるようにしてもよい。逆に、最低限の期間においても、満足できる安定的動作が達成されない場合には、例えば以前の安定的校正が使用されるようにしてもよい。所望する所定の校正値と以前の安定的校正との間の中間値によって、同じ一連の動作が行われるようにしてもよい。例えば、以下のように進めると好適である。最低限の期間における安定的バーナ動作が達成された場合には、所望する所定の校正値が使用される。最低限の期間における安定的バーナ動作が達成されない場合には、以前の安定的校正が使用される。その間の期間では、これら二つの値の中間値が使用される。
【００１１】
バーナの動作の特性を示すパラメータを、適当な校正値を選択するためのさらなる基準としてもよい。例えば、バーナの動作の特性を示すパラメータについて変動範囲を定めるようにしてもよい。選択されたパラメータがこの変動範囲内にある場合には、例えば所望する所定の校正値が使用されるようにしてもよい。パラメータが所与の変動範囲を超える場合には、以前の安定的校正が参照されるようにしてもよい。ここでも、中間値にアクセスするような異なる一連の動作がとられるようにしてもよい。例えば、変動範囲が小さい場合には、所望する所与の校正値が使用されるようにしてもよい。変動範囲が中程度である場合には、以前の安定的校正と新たに所望する所定の校正との間の中間値が使用されるようにしてもよい。最大変動範囲が超えられる場合には、以前の校正値が使用されるようにしてもよい。
【００１２】
校正手順が中断され予備的校正によってバーナが作動する場合には、特定の期間の後、安定的動作状態に基づく校正が達成されるまで、校正手順が反復されるようにしてもよい。
【外国語明細書】
2005083744.tif 000002
2005083744.tif 000003
2005083744.tif 000004
2005083744.tif 000005
2005083744.tif 000006
2005083744.tif 000007
2005083744.tif 000008